(57)【特許請求の範囲】
【請求項１】
ホログラフィーデータの記憶及び再生装置であって、
レーザー光を生成する光源と、
前記レーザー光を参照光と物体光に分離するビームスプリッタと、
入力データを各々が二つの二進数を含むような複数のグループに分離する第１グループ設定ブロックと、
前記グループを各々２×２のデータブロックにコーディングするコーディングブロックと、
前記２×２データブロックに応じて前記物体光を変調して信号光を生成する変調器と、
前記信号光と前記参照光を干渉させることにより生成された干渉じまを記憶する記憶媒体と、
前記記憶媒体から再生された信号を複数の２×２データブロックに分離する第２グループ分離ブロックと、
前記２×２データブロックの第１行の値と前記２×２データブロックの第２行の値を比較して前記第２グループ分離ブロックから出力された前記２×２データブロックを各々二つの二進数にデコーディングするデコーディングブロックとを含み、ここで前記２×２データブロックの第１行は前記二つの二進数を有し、前記２×２データブロックの第２行は前記第１行に含まれる二つの二進数に対して二進微分方式を適用して生成された別の二つの二進数を有することを特徴とするホログラフィーデータの記憶及び再生装置。
【請求項２】
前記コーディングブロックは、
前記２×２データブロックの２行２列に１行１列のデータ値の逆値を記録し、前記２×２データブロックの２行１列に１行２列のデータ値の逆値を記録することを特徴とする請求項１に記載のホログラフィーデータの記憶及び再生装置。
【請求項３】
前記デコーディングブロックは、
前記２×２データブロックの１行１列（または１行２列）の値が２行２列（または２行１列）の値より大きければ「１」にデコーディングし、前記２×２データブロックの１行１列（または１行２列）の値が２行２列（または２行１列）の値より小さければ「０」にデコーディングすることを特徴とする請求項１に記載のホログラフィーデータの記憶及び再生装置。
【請求項４】
ホログラフィーデータのコーディング方法であって、
（ａ）入力データを各々が二つの二進数を含むような複数のグループに分離する過程と、
（ｂ）前記グループを各々２×２データブロックにコーディングする過程とを含み、ここで前記２×２データブロックの第１行は前記二つの二進数を有し、前記２×２データブロックの第２行は前記第１行に含まれる二つの二進数に対して二進微分方式を適用して生成された別の二つの二進数を有することを特徴とするホログラフィーデータのコーディング方法。
【請求項５】
前記（ｂ）過程において、
前記２×２データブロックの２行２列の値には１行１列のデータ値の逆値が記録され、前記２×２データブロックの２行１列の値には１行２列のデータ値の逆値が記録されることを特徴とする請求項４に記載のホログラフィーデータのコーディング方法。
【請求項６】
請求項４に記載のホログラフィーデータのコーディング方法によりコーディングされたホログラフィーデータのデコーディング方法であって、
（ａ）記憶媒体から再生された信号を複数の２×２データブロックに分離する過程と、
（ｂ）前記２×２データブロックの第１行の値と前記２×２データブロックの第２行の値を比較して前記２×２データブロックを各々二つの二進数にデコーディングする過程とを含むことを特徴とするホログラフィーデータのデコーディング方法。
【請求項７】
請求項５に記載のホログラフィーデータのコーディング方法によりコーディングされたホログラフィーデータのデコーディング方法であって、
（ａ）記憶媒体から再生された信号を複数の２×２データブロックに分離する過程と、
（ｂ）前記２×２データブロックの第１行の値と前記２×２データブロックの第２行の値を比較して前記２×２データブロックを各々二つの二進数にデコーディングする過程とを含み、
前記（ｂ）過程は、前記２×２データブロックの１行１列（または１行２列）の値が２行２列（または２行１列）の値より大きければ「１」にデコーディングし、前記２×２データブロックの１行１列（または１行２列）の値が２行２列（または２行１列）の値より小さければ「０」にデコーディングすることを特徴とするホログラフィーデータのデコーディング方法。
【発明の詳細な説明】
【０００１】
【発明の属する技術分野】
本発明は、ホログラフィーデータの記憶及び再生装置及びホログラフィーデータのコーディング／デコーディング方法に関し、さらに詳しくは、記憶媒体（例えば、光屈折性結晶）にホログラフィーデータを記憶（記録）及び再生するためにデコーディング及びコーディングする時、BER（ビット誤り率）を向上させるホログラフィーデータの記憶及び再生装置、並びにホログラフィーデータのコーディング／デコーディング方法に関する。
【０００２】
【従来の技術】
近年、体積ホログラフィーデータの記憶を用いた技術分野は、例えば、半導体レーザー、CCD（電荷結合素子）、LCD（液晶表示器）等の著しい発展により、活発に研究されてきた。このような研究の結果は、指紋を記憶・再生する指紋認識システムなどに実用化されているだけではなく、その応用分野は大容量の記憶能力と超高速データ伝送速度のメリットを活用できる多様な分野に拡大されている。
【０００３】
以上のようなホログラフィーデータの記憶及び再生装置は、対象物体からの物体光（object beam）と参照光（reference beam）を干渉させる時に発生する干渉じま（interference pattern）を干渉じまの強度（amplitude）に敏感に反応する記憶媒体、例えばクリスタルなどの記憶媒体に記録（記憶）するものであり、参照光の角度を変化させる方法などにより、物体光の強度はもちろん位相(phase)も記録し、それにより物体の３次元像を表すことができ、またバイナリデータで構成されたページ(page)単位で構成される数百から数千個のホログラムを同一場所に記憶させることができる。
【０００４】
一方、典型的なホログラフィーデータの記憶及び再生装置は、記録モード時に、光源から発生したレーザー光を参照光と物体光に分離し、物体光を外部入力データ（即ち、記憶しようとする入力データ）に応じて明暗を示すピクセルから構成されたバイナリデータに変調し、変調された物体光（即ち、信号光）と、分離されて所定の偏向角の鏡で反射させた参照光を互いに干渉させることによって得られる干渉じまを入力データに対応するホログラムデータとして記憶媒体に記録する。
【０００５】
ホログラムデータは、記憶媒体に記録される時、重畳（多重化）されて記録（記憶）されるが、このような多重化記録方式には、例えば角度多重化方法、波長多重化方法、位相多重化方法などがある。
【０００６】
また、体積ホログラフィーデータの記憶及び再生装置は、再生モード時に、レーザー光から分離された物体光を遮断し、分離された参照光を所定角度の鏡で反射させた後に記憶媒体に照射し、このような照射によって記録された干渉じまが再生用参照光を回折させて元の明暗を示すピクセルで構成される１ページのバイナリデータを復調することにより、所望の特定ホログラムデータを再生する。この時、記憶媒体に記録されたデータの再生に用いられる再生用参照光は、実質的に記憶媒体にホログラムデータを記録する時に適用した参照光と同じ反射角度を有する参照光である。
【０００７】
一方、ホログラフィーデータの記憶及び再生装置の内部の記憶媒体にホログラフィーデータを記録した後再生する場合、レーザー光の強度（intensity）の不均一、レンズによる歪み、システム内部の散乱（scattering）及び回折（diffraction）などの要因により、再生信号は全体的に強度の不均一分布を有するようになる。
他方、再生信号をデコーディングする最も一般的な方法として閾値を利用する方式がある。このような閾値利用方式には、ピクセルの平均や０．５の値を用いる方式及び局部閾値を用いる方式がある。
【０００８】
前記閾値利用方式のうちの前者の場合は、ピクセルの平均や０．５の値より大きければ１に読取り、それより小さければ０に読取る方法である。しかし、この方式の場合、コードレートは高いが上述したような理由から再生誤り率（特に、１ページの端部での再生誤り率）が非常に高いため、現実的に適用するのは困難であるという問題点がある。
【０００９】
また、閾値利用方式のうちの後者（即ち、局部閾値利用方式）の場合は、１ページの再生信号を複数の領域に分割し、分割された各領域に対して互いに異なる閾値、即ちページの中心に近づくほど相対的に高い閾値を適用し、ページの中心から遠くなるほど（即ち、端部に近づくほど）相対的に低い閾値を適用して１と０を判定する方式である。
【００１０】
しかし、この方式の場合、コードレートが高く、再生誤り率が低いという利点を有する一方、ノイズパターンの様相が異なる場合、システム間の互換性が低下するという問題を有する。即ち、各システムはシステムの特性及び周辺環境などによって互いに異なる様相のノイズパターンを有し得るが、このようにノイズパターンが互いに異なるシステムに規格化された基準で分割した閾値基準を同様に適用すれば、結果的に再生誤り率が増加するという問題点を有する。
【００１１】
一方、再生信号の誤り率を減少させるための他の方式としては、２進微分コーディング／デコーディング方式があるが、２進微分コーディング／デコーディング方式は局部的に１が０より大きいということを利用して入力データをコーディングした後、記憶媒体に記録し、再生後には逆にデコーディングを行う方式である。例えば、０は０１に、１は１０にコーディングして記録し、再生後にはその逆過程を通じてデコーディングする方式である。
【００１２】
しかし、従来の２進微分コーディング／デコーディング方式の場合、再生誤り率を低めることができる利点を有する一方、コードレート（５０％）が顕著に低下するという問題点を有する。
【００１３】
また、２進微分コーディング／デコーディング方式でデータを記憶媒体に記録する時、図１１〜図１２に示すように、隔離（isolated）「オン」または「オフ」ピクセルが発生するが、このような現象は記憶媒体に記録されるデータにノイズを発生させる可能性がある。このようなノイズは、コーディングされたデータにより変調された物体光が空間光変調器を通過する間に発生する回折現象が原因で発生する。
【００１４】
この場合、隔離「オン」に該当するレーザー光の強度は、隣接したピクセルに広がり、隣接ピクセルに該当するレーザー光の強度は増加し、隔離「オン」ピクセルに該当するレーザー光の強度は減少する。一方、隔離「オフ」ピクセルの周辺ピクセルに該当するレーザー光はその周りに広がり、隔離「オフ」ピクセルに該当するレーザー光の強度は増加し、その周辺ピクセルに該当するレーザー光の強度は減少する。従って、隔離「オン」ピクセルは非隔離（non-isolated）「オン」ピクセルに比べて相対的に低いレーザー光強度レベルを有し、隔離「オフ」ピクセルは非隔離「オフ」ピクセルに比べて相対的に高いレーザー光強度レベルを有する。
【００１５】
この場合、隣接する「オン／オフ」ピクセルを比較してデータを比較する時、隔離「オフ」（或いは「オン」）ピクセルのレーザー光の強度が隣接する「オン」（或いは「オフ」）ピクセルのレーザー光の強度より高くなる（或いは低くなる）場合があり、データの誤りが発生する問題点があった。
【００１６】
【発明が解決しようとする課題】
従って、本発明は上述した従来技術の問題点を解決するためのものであり、隔離「オン」または「オフ」されるピクセルを除去して再生誤り率を向上させることのできるホログラフィーデータの記憶及び再生装置とホログラフィーデータのコーディング／デコーディング方法の提供にその目的がある。
【００１７】
【課題を解決するための手段】
前記目的を達成するための本発明のある態様では、レーザー光を生成する光源（light source）と、前記レーザー光を参照光と物体光に分離するビームスプリッタ（beam splitter）と、入力データを各々二つの二進数を含む複数のグループに分離する第１グループ設定ブロック（first grouping block）と、前記グループを各々２×２のデータブロックにコーディングするコーディングブロック（coding block）と、前記２×２データブロックに応じて前記物体光を変調して信号光を生成する変調器（modulator）と、前記信号光と前記参照光を干渉させることにより生成された干渉じまを記憶する記憶媒体（storage media）と、前記記憶媒体から再生された信号を複数の２×２データブロックに分離する第２グループ分離ブロック（second grouping block）と、前記２×２データブロックの第１行の値と前記２×２データブロックの第２行の値を比較して前記第２グループ分離ブロックから出力された前記２×２データブロックを各々二つの二進数にデコーディングするデコーディングブロック（decoding block）とを含み、ここで、前記２×２データブロックの第１行は前記二つの二進数を有し、前記２×２データブロックの第２行は前記第１行に含まれる二つの二進数に対して二進微分方式（binary differential calculation）を適用して生成される別の二つの二進数を有することを特徴とするホログラフィーデータの記憶及び再生装置を提供する。
【００１８】
前記目的を達成するための本発明の別の態様では、（ａ）入力データを各々二つの二進数を含む複数のグループに分離する過程と、（ｂ）前記グループを各々２×２データブロックにコーディングする過程とを含み、ここで、前記２×２データブロックの第１行は前記二つの二進数を有し、前記２×２データブロックの第２行は前記第１行に含まれる二つの二進数に対して二進微分方式を適用して生成される別の二つの二進数を有することを特徴とするホログラフィーデータのコーディング方法を提供する。
【００１９】
前記目的を達成するための本発明のさらに別の態様では、（ａ）記憶媒体から再生された信号を複数の２×２データブロックに分離する過程と、（ｂ）前記２×２データブロックの第１行の値と前記２×２データブロックの第２行を比較して前記第２グループ分離ブロックから出力された前記２×２データブロックを各々二つの二進数にデコーディングする過程とを含むことを特徴とするホログラフィーデータのデコーディング方法を提供する。
【００２０】
【発明の実施の形態】
本発明の前記及びその他の目的と利点は、この技術分野における当業者によって添付の図面を参照して下記に記述される本発明の好適な実施の形態によりさらに明確になるだろう。
【００２１】
以下、添付の図面を参照して本発明の好適な実施の形態について詳細に説明する。
【００２２】
図１は、本発明によるホログラフィーデータの記憶及び再生装置のブロック構成図であり、大きくわけて記憶及び再生装置１１０、データコーディング装置１３０及びデータデコーディング装置１５０から構成される。
【００２３】
図１を参照すると、記憶及び再生装置１１０は、ホログラフィーで求められるレーザー光を発生する光源１１１、３次元像のホログラムデータ（即ち、干渉じま）を記憶する記憶媒体１１９（例えば、光屈折性結晶）及びＣＣＤ１２０を含み、光源１１１と記憶媒体１１９の間には複数の光学系を含む二つの経路、即ち参照光処理経路ＰＳ１及び物体光処理経路ＰＳ２が形成される。
【００２４】
まず、ビームスプリッタ１１２では光源１１１から入射されるレーザー光を参照光及び物体光に分離し、分離された垂直偏光の参照光は参照光処理経路ＰＳ１に沿って進行し、分離された物体光は物体光処理経路ＰＳ２を進行する。
【００２５】
次に、参照光処理経路ＰＳ１上には、シャッター１１３、反射ミラー１１４及びアクチュエータ１１５が参照光の出射方向に配置され、このような光伝達経路を介してホログラムデータの記録及び再生に必要な参照光を所定の偏向角で反射させて記憶媒体１１９に方向付けする。
【００２６】
説明の便宜及び理解の増進のために図１での図示は省略したが、参照光処理経路ＰＳ１上には参照光処理のための複数の光学レンズ（例えば、ウエストコンフィグレーションレンズ（waist configuration lens）、ビーム拡大器など）が配置されてよい。
【００２７】
より詳細に説明すると、ビームスプリッタ１１２から分離されてシャッター１１３の開口を通じて入射される垂直偏光の参照光は、図示省略された光学レンズなどを介して調整され、任意の大きさに拡大（即ち、後述する物体光処理経路ＰＳ２で別のビーム拡大器を介して拡大される物体光の大きさを十分にカーバーできる大きさに拡大）され、反射ミラー１１４によって所定角度、例えば記録時の記録角または再生のために所定の再生角に偏向された後、記憶媒体１１９に入射（照射）される。
【００２８】
ここで、記録または再生時に用いられる参照光は、各ページ単位のバイナリデータを記憶媒体１１９に記録する度にアクチュエータ１１５を用いて反射ミラー１１４を回転させてその偏向角度θを変化させる方法で制御されるが、このような参照光偏向技法を用いて数百〜数千個のホログラムデータを記憶媒体１１９に記憶し、或いは記憶されたホログラムデータを再生することができる。
【００２９】
一方、物体光処理経路ＰＳ２上には、別のシャッター１１６、別の反射ミラー１１７及び空間光変調器１１８が物体光の照射方向に沿って配置され、このシャッター１１６は図示省略されたシステム制御手段からの制御によって記録モード時には開放状態を維持し、再生モード時には遮断状態を維持する。
【００３０】
説明の便宜及び理解の増進のために図１での図示は省略したが、物体光処理経路ＰＳ２上には物体光処理のための複数の光学レンズ（例えば、再イメージングレンズ（reimaging lens）、ビーム拡大器、視野レンズ（field lens）など）が配置されてよい。
【００３１】
より詳細に説明すると、ビームスプリッタ１１２から分離されてシャッター１１６の開口を通じて入射される物体光は、反射ミラー１１７を通じて所定の偏向角に反射された後、空間光変調器１１８に伝達される。
【００３２】
続いて、空間光変調器１１８では反射ミラー１１７から伝達される物体光をデータコーディング装置１３０から提供される入力データ（即ち、本発明によりコーディングされた入力データ）によって明暗を示すピクセルからなる１ページ単位のバイナリデータに変換する。例えば、入力データが１フレーム単位の映像からなる画像データである場合、空間光変調器１１８に入射される物体光は１フレーム単位の映像の信号光に変調された後、参照光処理経路ＰＳ１の反射ミラー１１４から入射される参照光と同期して記憶媒体１１９に入射される。
【００３３】
従って、記憶媒体１１９では、記録モード時に、空間光変調器１１８から提供されるバイナリデータのページ単位に変調された信号光と、これに対応する偏向角度θを有し、反射ミラー１１４によって反射される記録用参照光との間の干渉によって得られる干渉じまが記録される。即ち、変調された物体光と参照光の間の干渉によって得られる干渉じまの強度に応じて記憶媒体１１９内部で運動電荷の光誘導現象（optical induction）が発生するが、このような過程を通じて記憶媒体１１９に３次元像ホログラムデータの干渉じまが記録される。
【００３４】
図１に示されているようにデータコーディング装置１３０は、グループ設定ブロック（grouping block）１３２とコーディングブロック（coding block）１３４を含み、グループ設定ブロック１３２では外部から入力されるデジタル入力データ（即ち、記憶媒体に記録しようとする入力データ）を２ビット単位にブロック化してグループに分離し、グループに分離された各ブロックデータはコーディングブロック１３４に伝達される。
【００３５】
次に、コーディングブロック１３４は、設定したグループの特性に合わせて各グループの各ブロックデータ２ビットを２×２データブロックに変換してコーディングした後、各ブロックデータにコーディングされた１ページのバイナリデータを空間光変調器１１８に伝達する。
【００３６】
図２を参照すると、コーディングブロック１３４によってコーディングされた２×２データブロックが示されており、該データブロックの第１行（Ａ、Ｂ：２００）はグループ設定ブロック１３２から伝達されたデータをコーディングしたデータ行であり、第２行（Ｃ、Ｄ：２１０）はデコーディング時に用いられる参照行である。
【００３７】
データコーディング装置１３０のコーディングブロック１３４から入力データを記憶媒体１１９に記録する方法は、２ビットのデータを２つのピクセルに記録するために２×２ピクセルを用いるが、これは１ピクセルを記録してから前記ピクセルと対角線に存在するピクセルに２進微分方式を適用してコーディングする方法であり、このような方法を繰返して生成されたバイナリデータを記憶媒体１１９に記録する。
【００３８】
データコーディング装置１３０のコーディングブロック１３４から入力データを記憶媒体１１９に記録する他の方法は、１行１列のデータと１行２列のデータを順次に入力した後、１行２列と対角線のピクセルである２行１列に２進微分方式を適用してコーディングし（１行２列値の逆値で２行１列を定める）、その後全体ピクセルに入力されたデータ値の和が２になるように２行２列のデータ値を定める。
【００３９】
コーディングブロック１３４によってコーディングされた２×２ピクセルのデータが入力された空間光変調器１１８は、反射ミラー１１７から反射される物体光をグループ内の各ブロックデータにコーディングされて明暗を示すピクセルからなる１ページ単位のバイナリデータの信号光に変調して、記憶媒体１１９に照射することにより、記憶媒体１１９に本発明によってコーディングされたホログラムデータを記憶させる。
【００４０】
一方、本発明により各グループデータ別に分離コーディングされて記憶媒体１１９に記録（記憶）されたホログラムデータを再生する場合、図示省略したシステム制御手段からの制御によって物体光処理経路ＰＳ２側のシャッター１１６は遮断状態になり、参照光処理経路ＰＳ１側のシャッター１１３は開放状態になる。
【００４１】
従って、ビームスプリッタ１１２から分離された参照光（再生用参照光）は反射ミラー１１４によって反射されて記憶媒体１１９に照射され、その結果、記憶媒体１１９では参照光によって記録された干渉じまが入射された読取り用参照光を回折させて元の明暗を示すピクセルから構成される１ページのバイナリデータ（即ち、碁盤縞）に復調し、ここで復調された再生信号はCCD１２０に照射される。
【００４２】
続いて、ＣＣＤ１２０では記憶媒体１１９から照射される再生出力が本来のデータ、即ち電気信号に復元され、復元された再生信号はデータデコーディング装置１５０内のグループ分離ブロック１５２に伝達される。
【００４３】
ここで、グループ分離ブロック１５２は、ＣＣＤ１２０から出力されるコーディングされた再生信号が入力され、２×２データブロック単位にグループ化させてデコーディングブロック１５４に出力する。ＣＣＤ１２０から出力される２×２データの第１行（データ行）には再生しようとするデータが記録されており、第２行（参照行）にはデータ行に記録されたデータを再生するための参照データが記録されている。
【００４４】
デコーディングブロック１５４は、グループ分離ブロック１５２から出力された２×２データをデコーディングしてデータを出力するが、その際、第１行の１列（１行２列）値と第２行２列（２行１列）の参照データ値を比較して出力データを決定する。
【００４５】
即ち、デコーディングブロック１５４は第１行１列（１行２列）値が第２行２列（２行１列）より大きい値であれば「１」にデコーディングし、小さい値であれば「０」にデコーディングする。
【００４６】
以下では、本発明の好適な実施例によるホログラフィーデータのコーディング／デコーディング方法について詳細に説明する。
【００４７】
本実施例は、入力データの中で「１１」をコーディングして記録した後、再生してデコーディングする場合に対するものであり、図３〜図６を参照して説明する。
【００４８】
図３〜図６は、本発明の実施例の１つによるホログラフィーデータのコーディング／デコーディング過程を示す図である。
【００４９】
まず、グループ設定ブロック１３２は入力データを２ビット単位にブロック化してコーディングブロック１３４に伝達し、コーディングブロック１３４はグループ設定ブロック１３２から伝達された２ビットデータの「１１」をコーディングして空間光変調器１１８に伝達する。
【００５０】
図３に示すように、コーディングブロック１３４はピクセル２０１に１番目のデータ「１」を入力し、ピクセル２０２に２番目のデータ「１」を入力した後、その対角線ピクセルであるピクセル２０３にはピクセル２０２に入力したデータの逆値となるデータ「０」を入力する。
【００５１】
次に、コーディングブロック１３４は、２×２ピクセルに含まれた全ピクセルの和が２となるように、ピクセル２０４を「０」にコーディングする。
【００５２】
コーディングブロック１３４は、グループ設定ブロック１３２から伝達された２ビットのデータをデータ行と参照行を有する２×２データにコーディングして空間光変調器１１８に伝達し、空間光変調器１１８は、反射ミラー１１７から反射される物体光をグループ内の各ブロックデータにコーディングされて明暗を示すピクセルからなる１ページ単位のバイナリデータの信号光に変調して、記憶媒体１１９に照射することにより、記憶媒体１１９に本発明によってコーディングされたホログラムデータを記憶させる。
【００５３】
前記のような方法で入力データの「１０」、「０１」、「００」をコーディングすれば、図４〜図６に示すように、コーディング時に任意のピクセルに発生する隔離「オン」（または「オフ」）現象を防止することができる。
【００５４】
記憶媒体１１９に記憶されたデータをデコーディングする過程は以下の通りである。
【００５５】
まず、グループ分離ブロック１５２は、ＣＣＤ１２０から出力されるコーディングされた再生信号が入力され、２×２データブロック単位にグループ化させてデコーディングブロック１５４に出力する。ＣＣＤ１２０から出力される２×２データブロックの第１行（データ行）には再生しようとするデータが記録されており、第２行（参照行）にはデータ行に記録されたデータを再生するための参照データが記録されている。
【００５６】
デコーディングブロック１５４は、第１行１列の値と第２行２列の値を比較し、第１行１列の値の方が大きいので「１」にデコーディングし、第１行２列のデータと第２行１列の参照データを比較し、第１行２列の値の方が大きいので「１」にデコーディングして出力することにより、コーディングブロック１３４によってコーディングされて記憶されたデータ「１１」をデコーディングする。
【００５７】
以下では、本発明の別の好適な実施例によるホログラフィーデータのコーディング／デコーディング方法について詳述する。
【００５８】
本実施例は、入力データの中で「１１」をコーディングして記録した後、再生してデコーディングする異なる方法に関し、図７〜図１０を参照して説明する。
【００５９】
図７〜図１０は、本発明の異なる実施例によるホログラフィーデータのコーディング／デコーディング過程を示す図である。
【００６０】
まず、グループ設定ブロック１３２から２ビットの「１１」が伝達されたコーディングブロック１３４は、ピクセル３０１に１番目のデータ「１」をセットした後、ピクセル３０４にピクセル３０１に入力されたデータの逆値となる「０」をセットする。
【００６１】
次に、コーディングブロック１３４は、ピクセル３０２に２番目のデータ「１」をセットした後、その対角線ピクセルのピクセル３０３にはピクセル３０２に入力したデータの逆値となるデータ「０」をセットして、コーディングした２×２データを空間光変調器１１８に伝達する。
【００６２】
ここで、ピクセル３０１，３０２はデータ行であり、ピクセル３０３，３０４は参照行である。
【００６３】
前記のような方法で入力データの「１０」、「０１」、「００」をそれぞれコーディングすれば、図７〜図１０に示すように、コーディング時に任意のピクセルに発生する隔離「オン」（または「オフ」）現象を防止することができる。
【００６４】
本実施例にしたがってコーディングされ、記憶媒体１１９に記憶されたデータは、１番目に説明した実施例と同じデコーディング方式でデコーディングされて出力される。
【００６５】
上記において、本発明の好適な実施の形態について説明したが、本発明の精神及び請求範囲から逸脱することなく、種々の変更及び修正がなされてもよいことは当業者にはご理解いただけるであろう。
【００６６】
【発明の効果】
以上で説明したように、本発明によれば、ホログラム記憶媒体に記憶しようとする入力データを２ビット単位にブロック化して分離し、各ブロックをデータ行と参照行からなる２×２データブロックにコーディングして記憶媒体に記録し、再生モード時に再生信号からコーディングされた２×２データブロックにおいて、データ行の値と参照行の値を比較して記憶媒体に記録されたデータをデコーディングすることにより、従来の２進微分方式で発生する任意のピクセルの隔離「オン」または「オフ」現象を防止することができ、データデコーディング時に発生するデコーディング誤りを防止することができるだけではなく、ＢＥＲが向上できる効果がある。
【図面の簡単な説明】
【図１】本発明によるホログラフィーデータの記憶及び再生装置のブロック構成図である。
【図２】本発明によってコーディングされた入力データの形式を示す図である。
【図３】本発明の実施例による入力データをコーディングする過程を示す図である。
【図４】本発明の実施例による入力データをコーディングする過程を示す図である。
【図５】本発明の実施例による入力データをコーディングする過程を示す図である。
【図６】本発明の実施例による入力データをコーディングする過程を示す図である。
【図７】本発明の別の実施例による入力データをコーディングする過程を示す図である。
【図８】本発明の別の実施例による入力データをコーディングする過程を示す図である。
【図９】本発明の別の実施例による入力データをコーディングする過程を示す図である。
【図１０】本発明の別の実施例による入力データをコーディングする過程を示す図である。
【図１１】図１１、１２は従来の２進微分方式によるコーディング時に発生する隔離「オン」及び「オフ」現象を示す図である。
【図１２】図１１、１２は従来の２進微分方式によるコーディング時に発生する隔離「オン」及び「オフ」現象を示す図である。
【符号の説明】
１１０  ホログラフィーデータの記憶及び再生装置
１１１  レーザー光を発生する光源
１１２  ビームスプリッタ
１１３,１１６  シャッター
１１４,１１７  反射ミラー
１１５  アクチュエータ
１１８  空間光変調器
１１９  記憶媒体
１２０  ＣＣＤ
１３０  データコーディング装置
１３２  グループ設定ブロック
１３４  コーディングブロック
１５０  データデコーディング装置
１５２  グループ分離ブロック
１５４  デコーディングブロック
２００  ２×２データブロックの第１行
２０１,３０１  ２×２データの第１行１列要素ピクセル
２０２,３０２  ２×２データの第１行２列要素ピクセル
２０３,３０３  ２×２データの第２行１列要素ピクセル
２０４,３０４  ２×２データの第２行２列要素ピクセル
２１０  ２×２データブロックの第２行
【図１】
0003953905.tif 000002
【図２】
0003953905.tif 000003
【図３】
0003953905.tif 000004
【図４】
0003953905.tif 000005
【図５】
0003953905.tif 000006
【図６】
0003953905.tif 000007
【図７】
0003953905.tif 000008
【図８】
0003953905.tif 000009
【図９】
0003953905.tif 000010
【図１０】
0003953905.tif 000011
【図１１】
0003953905.tif 000012
【図１２】
0003953905.tif 000013